(57)【要約】      （修正有）【課題】フロアモップのハンドルを押圧するだけで、蒸気を床面に噴出させて清掃できる蒸気フロアモップを提供する。【解決手段】ハンドル１、主体２内マニュアル水ポンプ４、水タンク５及び蒸気発生器６が設けられており、主体と可動に連結するフロアモップ３を備える蒸気フロアモップ。マニュアル水ポンプと、水タンクと、前記蒸気発生器とフロアモップとの間はパイプにより連通し、ハンドルが前記マニュアル水ポンプ内のピストンロッドと直接連結してマニュアル水ポンプの動作を操作し、フロアモップに清掃布が巻き付けられている蒸気フロアモップ。【選択図】図１
0003171901.tif 000002
【実用新案登録請求の範囲】
【請求項１】
蒸気フロアモップであって、前記蒸気フロアモップは、
ハンドル（１）と、
その内部にマニュアル水ポンプ（４）、水タンク（５）、及び蒸気発生器（６）が設けられる主体（２）と、
前記主体と可動に連結されたフロアモップ頭部（フロアモップ）（３）と、を備え、
前記マニュアル水ポンプ（４）、前記水タンク（５）、前記蒸気発生器（６）、及び前記フロアモップ頭部（３）がパイプを用いて連結され、前記ハンドル（１）が前記マニュアル水ポンプ（４）内のピストンロッド（４１）と直接的に連結され、前記ハンドル（１）が押される際に、前記ハンドルが前記マニュアル水ポンプを操作するように供し、前記フロアモップ頭部（３）が清掃布（７）により覆われる、
ことを特徴とする、蒸気フロアモップ。
【請求項２】
バッファ領域（３４）が前記フロアモップ頭部の中央蒸気入口（３３）に設けられ、複数のリブ条（３５）が前記バッファ領域（３４）の中央から延在され、複数の蒸気分派溝（３６）が前記リブ条（３５）の間に形成され、周縁（３７）が前記フロアモップ頭部（３）の外縁の周りに定置されることを特徴とする、請求項１に記載の蒸気フロアモップ。
【請求項３】
前記マニュアル水ポンプ（４）が、ポンプ本体（４７）と、ピストンロッド（４１）と、水ポンプ入口（４２）と、水ポンプ出口（４３）と、一方向注入ポンプ芯（ワンウェインレットポンプ）（４４）と、一方向排出ポンプ芯（ワンウェアウトレットポンプ）（４５）とを備え、前記ポンプ本体（４７）のピストン空洞部（キャビティ）（４６）が、前記ピストン空洞部の上側の空洞部が前記ピストン空洞部の下側の空洞部より大きい直径を有する段階状の空洞部であることを特徴とする、請求項１又は２に記載の蒸気フロアモップ。
【請求項４】
前記蒸気発生器（６）が、円錐シェル（６３）及び加熱芯（加熱部材）（６４）を備え、水入口（６１）が前記加熱芯（６４）の底端上に設けられ、複数の電発熱体（６５）が前記加熱芯（６４）内にダイカスト鋳造され、かつ倒立の円錐空洞部（６６）が前記加熱芯（６４）の内部に形成され、蒸気収集室（６７）が前記円錐シェルの内部設けられ、かつ前記円錐空洞部に対向して位置付けられ、スライド可能である蒸気分離カバー（６８）が前記蒸気収集室（６７）と前記加熱芯（６４）との間に位置し、前記円錐空洞部（６６）を前記蒸気収集室（６７）に連結するための蒸気収集口（６９）が、前記蒸気分離カバー（６８）の中央に設けられ、蒸気出口（６２）が前記蒸気収集室の上端に設けられ、複数のＣ形のガイドリング（６４１）が前記加熱芯（６４）の底端上の水入口（６１）に定置されることを特徴とする、請求項１又は２に記載の蒸気フロアモップ。
【請求項５】
その表面上に複数の碁盤目（＃）形状の格子縞が形成される前記清掃布（７）が、前記フロアモップ頭部（３）と整合可能であり、かつフロアモップ頭部（３）を堅く覆うように供されることを特徴とする、請求項１又は２に記載の蒸気フロアモップ。
【請求項６】
前記フロアモップ頭部（３）の周縁（３７）の高さが、前記リブ条（３５）の高さより０．５乃至２ｍｍ高いことを特徴とする、請求項２に記載の蒸気フロアモップ。
【請求項７】
前記清掃布（７）はベスト形状にあり、一対の固定帯（７１）が前記清掃布（７）の上部から延在され、複数の雌マジックテープ（登録商標）（マジックフィーメールテープ）（７２）が前記固定帯上（７１）に貼付され、前記雌マジックテープ（登録商標）（７２）と糊付けして固定することができる複数の雄マジックテープ（登録商標）（マジックメールテープ）（７３）が前記清掃布（７）の下部上に貼付されることを特徴とする、請求項５に記載の蒸気フロアモップ。
【請求項８】
前記ハンドル（１）を受け口に嵌め込むことができるハンドルカバー（１１）が前記主体（２）の頂端上に位置し、前記ハンドルカバー（１１）の上端が前記主体（２）上に固定されることを特徴とする、請求項１又は２に記載の蒸気フロアモップ。
【請求項９】
前記水ポンプの一方向注入ポンプ芯（４４）及び前記一方向排出ポンプ芯（４５）が、弾性変形の後に開けることができる頂点構造を有する平坦な円錐の形状にあることを特徴とする、請求項１又は２に記載の蒸気フロアモップ。
【請求項１０】
蒸気入口（３３）も前記フロアモップ頭部（３）上に設けられ、かつ前記蒸気発生器（６）の蒸気出口（６２）に接続されることを特徴とする、請求項１又は２に記載の蒸気フロアモップ。
【考案の詳細な説明】
【技術分野】
【０００１】
本考案は、蒸気フロアモップに関し、具体的に清掃するための蒸気式清掃用具に関する。
【０００２】
本願考案は、ここに参照して本明細書に援用する２００６年１２月１０日出願の国際出願第ＰＣＴ／ＣＮ２００６／００３３４２号における全開示内容に対して優先権主張するものである。
【背景技術】
【０００３】
従来の清掃用フロアモップは、一般に二種類に分かれている。一つは普通のフロアモップであり、こんなフロアモップは乾式拭き可能であり、湿式拭きできないため、使用制限がある。もう一つは蒸気噴出機能を有するフロアモップであり、それは水を加熱して蒸気になり、そして蒸気を床面に噴出させて清掃を進行し、高温消毒の目的を達することができる。しかし、従来の蒸気フロアモップは下記の問題点がある。一つは蒸気フロアモップを使用する際、電源を入れ、電ポンプを利用して噴水する必要があり、電ポンプから噴出された水を蒸発させ、その蒸気を利用して清掃を進行する。しかし、電源を入れてから電ポンプにより噴水し、そして蒸気を生成するまでの時間が長すぎ、とても不便である。また、フロアモップにて床面を徹底的に清掃することはできず、一回または二回の清掃が足りず、何回も繰り返して清掃する必要があり、時間と手数をかける。こんな問題を生じる原因は、従来のフロアモップの清掃面が大体平面であり、蒸気がフロアモップの全ての清掃面に散布することに不利である。これにより、フロアモップの清掃面の一部にはあまり蒸気がなく、また他の部分には蒸気が多すぎ状態になる。すなわち、フロアモップの清掃面の一部は乾き過ぎ、一部は濡れ過ぎ状態になり、清掃布を均一に濡らす及び高温殺菌消毒の目的を達成することはできない。また、フロアモップに巻き付けられた清掃布の表面はスムーズ過ぎ、図案或いは縞が形成されていないため、床面の汚れを除去し難い。
【考案の開示】
【考案が解決しようとする課題】
【０００４】
本考案の目的は、従来技術の不足を補い、フロアモップのハンドルを押圧するだけで、蒸気を床面に噴出させて清掃を進行することを直ちに実現できる蒸気フロアモップを提供することである。
【０００５】
本考案の他の目的は、清掃するには便利で、徹底的に高温殺菌消毒でき、かつ時間と力を節約する蒸気フロアモップを提供することである。
【課題を解決するための手段】
【０００６】
前記目的を実現するために、本考案の蒸気フロアモップの特徴は、ハンドル、主体及び主体と可動に連結するフロアモップを備え、主体内マニュアル水ポンプ、水タンク及び蒸気発生器が設けられており、マニュアル水ポンプと、水タンクと、蒸気発生器と、フロアモップとの間にパイプにより連通し、前記ハンドルがマニュアル水ポンプ内のピストンロッドと直接連結してマニュアル水ポンプの動作を操作し、前記フロアモップに清掃布が巻き付けられていることである。
【０００７】
前記蒸気フロアモップの特徴は、前記フロアモップの中央蒸気入口にバッファ領域が設けられており、バッファ領域の中央から複数のリブ条が延出しており、リブ条の間に蒸気分派溝が設けられており、フロアモップの外縁に周縁が設けられていることである。
【０００８】
前記蒸気フロアモップの特徴は、前記マニュアル水ポンプがポンプ本体と、ピストンロッドと、水ポンプ入口と、水ポンプ出口と、ワンウェインレットポンプと、ワンウェアウトレットポンプとを備え、ポンプ本体のピストンキャビティは段階状のキャビティに形成され、上側の大キャビティの直径が下側の小キャビティの直径より大きいことである。
【０００９】
前記蒸気フロアモップの特徴は、前記蒸気発生器が円錐シェル及び加熱部材を有し、加熱部材の底部に水入口が設けられており、かつ加熱部材の内部にダイカスト鋳造により形成された電発熱体と倒立の円錐キャビティが設けられており、円錐シェル内の円錐キャビティと対応する位置に蒸気収集室が設けられており、蒸気収集室と加熱部材との間にスライド可能である蒸気分離カバーが設けられており、蒸気分離カバーの中央に円錐キャビティと蒸気収集室とを連通する蒸気収集口が設けられており、蒸気収集室の上端に蒸気出口が設けられており、加熱部材の底部の水入口にＣ形のガイドリングが設けられていることである。
【００１０】
前記蒸気フロアモップの特徴は、前記清掃布がフロアモップと整合し、かつフロアモップをしっかり巻き付け、清掃布の表面に＃形の格子縞が形成されていることである。
【００１１】
前記蒸気フロアモップの特徴は、前記フロアモップの周縁の高さがリブ条の高さより０．５〜２ｍｍ高いことである。
【００１２】
前記蒸気フロアモップの特徴は、前記清掃布がベスト状であり、清掃布の上端から二つの固定帯が延出しており、固定帯にマジックフィーメールテープが設けられており、清掃布の底端にマジックフィーメールテープと貼合するマジックメールテープが設けられていることである。
【００１３】
前記蒸気フロアモップの特徴は、前記主体の上端に、ハンドルを差し込む可能であるハンドルカバーが設けられており、ハンドルカバーの上端が主体に固定されていることである。
【００１４】
前記蒸気フロアモップの特徴は、前記水ポンプのワンウェインレットポンプ及びワンウェアウトレットポンプが、上端に弾性変形された後に開けられることができる平坦な円錐形であることである。
【００１５】
前記蒸気フロアモップの特徴は、前記フロアモップに蒸気入口がさらに設けられ、蒸気入口が蒸気発生器の蒸気出口に連通することである。
【考案の効果】
【００１６】
本考案において、ハンドルを押圧するだけで、主体に蒸気を生成させてフロアモップに送達させ、高温殺菌消毒の清掃を直ちに進行できる。他の電源を入れ、電ポンプが水を噴出して蒸気を生成することを待つ必要がなくなる。また、フロアモップに複数のリブ条が設けられ、かつリブ条の間に複数の蒸気分派溝が設けられており、フロアモップに清掃布がしっかり巻き付けられ、清掃布の表面に＃形の格子縞を形成しているため、本考案の蒸気フロアモップは、清掃するには便利で、徹底的に高温殺菌消毒でき、かつ時間と力を節約する。
【考案を実施するための最良の形態】
【００１７】
蒸気フロアモップは、ハンドル１、主体２及び該主体１の下端と可動に連結するフロアモップ３を有する。主体２内、マニュアル水ポンプ４、水タンク５及び蒸気発生器６が設けられている。前記ハンドル１がマニュアル水ポンプ４内のピストンロッド４１と直接連結して該マニュアル水ポンプの動作を操作し、前記フロアモップ３に清掃布７が巻き付けられている。前記マニュアル水ポンプ４の下端に、水ポンプ入口４２及び水ポンプ出口４３が設けられており、前記水ポンプ入口４２は第一パイプＡにより水タンク５と連通し、前記水ポンプ出口４３は第二パイプＢにより蒸気発生器６の水入口６１と連通し、蒸気発生器６の蒸気出口６２は第三パイプＣによりフロアモップ３と連通する。蒸気フロアモップを移動して清掃する場合、ハンドル１を押圧するだけで、ハンドル１がマニュアル水ポンプ４上端のピストンロッド４１を押圧し、マニュアル水ポンプ４に水を蒸気発生器６に送達させる。蒸気発生器６が、その中に入る水を速やかに蒸気になり、生成した蒸気が第三パイプＣによりフロアモップ３に送達され、フロアモップ３に巻き付けられている清掃布７に流れる。このとき、清掃布７が直ちに蒸気を利用して高温殺菌消毒の清掃を進行することができ、他の電源を入れ、電ポンプが水を噴出して蒸気を生成するのを待つ必要がなくなる。
【００１８】
主体２の上端に、ハンドル１を差し込むハンドルカバー１１が設けられており、ハンドルカバー１１の上端が主体２に固定され、ハンドルカバー１１はハンドル１の移動範囲を拘束するために用いられる。
【００１９】
図３〜図７に示すように、フロアモップ３は扇形であり、またフロアモップ３に蒸気入口３３が設けられている。蒸気入口３３が第三パイプＣにより蒸気発生器６の蒸気出口６２に連通している。フロアモップの中央蒸気入口３３にバッファ領域３４が設けられ、バッファ領域３４は蒸気の圧力及び速度を下げるために用いられ、蒸気の流れる方向をより良好に導く。バッファ領域３４の中央から複数のリブ条３５が延出しており、リブ条３５の間に蒸気分派溝３６が設けられている。これにより、蒸気をより良好にフロアモップの全ての清掃面に導き、かつ過剰の蒸気を排除し、清掃布７の過剰の湿度を下げる。フロアモップ３の外縁に周縁３７が設けられており、かつ周縁３７の高さはリブ条３５の高さより０．５〜２ｍｍ高い。
【００２０】
図９及び図１０に示すように、マニュアル水ポンプ４は、ポンプ本体４７と、ピストンロッド４１と、水ポンプ入口４２と、水ポンプ出口４３と、ワンウェインレットポンプ４４と、ワンウェアウトレットポンプ４５とを有し、ポンプ本体４７のピストンキャビティ４６は段階状のキャビティに形成され、上側の大キャビティの直径が下側の小キャビティの直径より大きい。ワンウェインレットポンプ４４及びワンウェアウトレットポンプ４５は、弾性材料により製造され、上端に変形された後に開けられる構造があり、二層の反圧力装置を形成する。これにより、蒸気発生器６の逆方向の圧力を遮断でき、蒸気発生器６の逆方向の圧力に損害されないように確保でき、かつ水流れの単一方向を制御できる。すなわち、マニュアル水ポンプ４は人工知能自動ワンウェ水ポンプと考えられ、ハンドル１を押圧すると、ハンドル１がマニュアル水ポンプ４のピストンロッド４１を押圧し、この場合、マニュアル水ポンプ４が自動的に水を蒸気発生器６に押し込める。
【００２１】
図１１に示すように、蒸気発生器６は円錐シェル６３及び加熱部材６４を備え、加熱部材６４の底部に水入口６１が設けられており、かつ加熱部材６４の内部にダイカスト鋳造により形成された電発熱体６５と倒立の円錐キャビティ６６が設けられており、円錐シェル内の円錐キャビティと対応する位置に蒸気収集室６７が設けられており、蒸気収集室６７と加熱部材６４との間にスライド可能である蒸気分離カバー６８が設けられており、蒸気分離カバー６８の中央に円錐キャビティ６６と蒸気収集室６７とを連通する蒸気収集口６９が設けられており、蒸気収集室の上端に蒸気出口６２が設けられている。加熱部材６４の底部の水入口６１にＣ形のガイドリング６４１がさらに設けられ、Ｃ形のガイドリング６４１は水を分流し、水を加熱部材の表面に均一に分配するために用いられる。
【００２２】
図８に示すように、清掃布７はベスト状であり、清掃布７の上端から二つの固定帯７１が延出しており、固定帯７１にマジックフィーメールテープ７２が設けられており、清掃布７の底端にマジックフィーメールテープ７２と貼合するマジックメールテープ７３が設けられている。清掃布７のサイズはフロアモップと整合し、清掃布がフロアモップをしっかり巻き付けている。清掃布の表面に＃形の格子縞が形成され、床面の汚れをより簡単に除去することができる。フロアモップ３の上層に巻き付けている清掃布７は余計な蒸気を囲むために用いられる。フロアモップ３の下層の清掃布７は床面を清掃するために用いられる。
【００２３】
フロアモップに複数のリブ条３５が設けられ、かつリブ条３５の間に蒸気分派溝３６が設けているため、蒸気がフロアモップの全表面に均一に分配し、湿度のアンバランスを維持する。フロアモップ３に＃形の格子縞をしっかり巻き付けられているため、本考案の蒸気フロアモップは、清掃するには便利で、徹底的に高温殺菌消毒でき、かつ時間と力を節約できる。
【図面の簡単な説明】
【００２４】
【図１】本考案の構造を示す概略図である。
【図２】本考案を示す断面図である。
【図３】本考案のフロアモップを示す上面図である。
【図４】本考案のフロアモップを示す底面図である。
【図５】本考案のフロアモップを示す立体図である。
【図６】図３のＡ-Ａ線における断面図である。
【図７】図６のＢ部分の拡大図である。
【図８】本考案の清掃布を示す平面図である。
【図９】本考案の水ポンプを示す立体図である。
【図１０】図９の断面図である。
【図１１】本考案の蒸気発生部の構造を示す概略図である。
【図１】
0003171901.tif 000003
【図２】
0003171901.tif 000004
【図３】
0003171901.tif 000005
【図４】
0003171901.tif 000006
【図５】
0003171901.tif 000007
【図６】
0003171901.tif 000008
【図７】
0003171901.tif 000009
【図８】
0003171901.tif 000010
【図９】
0003171901.tif 000011
【図１０】
0003171901.tif 000012
【図１１】
0003171901.tif 000013